(57)【特許請求の範囲】
【請求項１】
遊技演出体を遊技者に対して視認可能となるように内部に保持し、上下に延びる第１の回転軸周りに相互に前後揺動可能とされる少なくとも２つの枠体を有する遊技機であって、
前記枠体のうち遊技機設置島に配置される外側枠体の上部近傍に配置された外側上部保持板と、
前記枠体のうち前記外側枠体に対して前後揺動可能に配置される内側枠体の上部近傍に配置され、該外側上部保持板と対向する内側保持板と、
該外側上部保持板と該内側保持板とを連結し、前記第１の回転軸の上部を構成する上部回転軸部材と、
前記外側枠体の下部近傍と前記内側枠体の下部近傍とを連結し、前記第１の回転軸の下部を構成する下部回転軸部材と、
前記外側枠体の下部近傍に配置され、下部回転軸部材を保持する外側下部保持板と、
前記内側枠体の下部近傍に配置され、前記下部回転軸部材に嵌合されて該外側下部保持板の上面で回転する下側プレートと、を有し、
該外側下部保持板における前記下部回転軸部材の周囲であって前記内側枠体の揺動可能領域外に、前記外側下部保持板と前記内側枠体の下部近傍との間への不正具の侵入を防止するように、前記外側下部保持板の外周部分の左側方から前方にかけて、少なくとも前記下側プレートの上面高さ以上の高さまで障害壁が上方に向けて立設されている遊技機。
【請求項２】
前記下側プレートの側面が、傾斜面として構成されている請求項１に記載の遊技機。
【請求項３】
前記下側プレートの側面の傾斜角が、該下側プレートの上面側から下面側に向かうに従い前記第１の回転軸に近づく傾斜角とされている、請求項２に記載の遊技機。
【発明の詳細な説明】
【技術分野】
【０００１】
本発明は、遊技機に係り、特に、枠体同士を連結するヒンジ構造部分を保護して不正なこじ開け等のゴト行為を未然防止することのできる遊技機に関する。
【背景技術】
【０００２】
パチンコ機等の遊技機においては、弾球された球が遊技領域（遊技盤面上又はその近傍に形成された領域であって、球の流下による遊技や演出を実現するための領域。）を流下して、その流下の過程で球が遊技領域内の障害釘（ゲージともいう。）や羽根車に衝突しつつ転回して流下方向が変化する。その結果、遊技領域上に配置された各種入賞口に球が入賞すれば所定の景品球払出しがされ、一方いずれの入賞口にも入賞せずアウト口に球が流入すれば景品球払出しはされない。遊技者は、弾球における自らの技量を発揮して、又は球の流下における偶然性を利用しつつ球の入賞及び景品球払出しを期待し、遊技を楽しむのである。
【０００３】
このようなパチンコ機は、機器全体が複数の枠体により囲まれるように構成されて、球の円滑な流下、遊技者による遊技盤への不正アクセス防止、パチンコホールへの設置性の向上、メンテナンス性の向上等様々な機能を実現している。
【０００４】
例えば、木材、樹脂、金属等で形成された筐体枠が、パチンコ機全体の主に上下面及び左右側面を囲むように最外郭に構成され、その筐体枠の内側には機枠が筐体枠に対して前方開閉可能に配置され、この機枠が遊技盤を保持している。これらの筐体枠及び機枠によって、主にパチンコ機の上下及び左右側方からの内部への不正アクセスが有効に防止されている。
【０００５】
更に、その機枠の前方には前面枠が機枠に対して前方開閉可能に配置され、この前面枠が遊技盤を視認可能とする前面ガラスやその周囲に配置される各種装飾部材を保持している。この前面枠によって、主にパチンコ機の前方からの内部への不正アクセスが有効に防止されている。
【０００６】
これらの筐体枠、機枠及び前面枠は相互に施錠装置によって施錠されて遊技者による内部への不正アクセスの防止が図られる。加えて、メンテナンス時にパチンコホール員や作業員によるパチンコ機内部へのアクセスを容易にするために、これらの枠体はヒンジ構造により揺動開閉可能とされている場合が多い。例えば、パチンコ機を正面視した場合において、その左側部近傍にヒンジ構造を配し、右側部近傍に施錠装置を配することにより、施錠状態においてはヒンジ構造と施錠装置との協働によって枠体同士を閉鎖維持し、解錠状態においては左側部近傍のヒンジ構造を中心として枠体右側部近傍を手前に大きく開放することができるように構成されている。
【０００７】
このように、施錠時における内部への不正アクセスの防止と、解錠時における内部アクセスの容易化とがヒンジ構造と施錠装置とにより両立されている。このような、パチンコ機におけるヒンジ構造の一例としては、例えば特許文献１に開示のものがある。
【０００８】
【特許文献１】特開２０００−３１７１０７号公報
【発明の開示】
【発明が解決しようとする課題】
【０００９】
しかしながら、施錠装置が施錠されたままの状態でも、枠体を不正に開放してパチンコ機の内部に不正アクセスするいわゆるゴト行為が行われてしまう場合がある。具体的には、筐体枠と機枠、機枠と前面枠をそれぞれ連結軸支するヒンジ構造を、例えばバール等の不正工具を用いて破壊することにより機枠等を手前に取り外し、それによって生じた間隙から、パチンコ機内部への不正アクセスが行われてしまう場合がある。
【００１０】
ヒンジ構造部分を破壊されると、内部への不正アクセスが行われてパチンコホールが不測の不利益を受けてしまうばかりでなく、パチンコ機２自体も損傷を受けてしまい、部品又は機器そのものの修理や交換が必要となってしまう。したがって、ヒンジ構造部分の破壊を有効に防止し得る提案が期待されている。
【００１１】
本発明は、上記の事情に鑑みて為されたもので、遊技機の枠体同士を連結するヒンジ構造部分において、こじ開け等の不正開放やバール等の不正工具による破壊行為を有効に防止することができ、ヒンジ構造を保護することのできる遊技機を提供することを例示的課題とする。
【課題を解決するための手段】
【００１２】
上記の課題を解決するために、本発明の例示的側面としての遊技機は、遊技演出体を遊技者に対して視認可能となるように内部に保持し、上下に延びる第１の回転軸周りに相互に前後揺動可能とされる少なくとも２つの枠体を有する遊技機であって、枠体のうち遊技機設置島に配置される外側枠体の上部近傍に配置された外側上部保持板と、枠体のうち外側枠体に対して前後揺動可能に配置される内側枠体の上部近傍に配置されて外側上部保持板と対向する内側保持板と、外側上部保持板と内側保持板とを連結して第１の回転軸の上部を構成する上部回転軸部材と、外側枠体の下部近傍と内側枠体の下部近傍とを連結して第１の回転軸の下部を構成する下部回転軸部材と、外側枠体の下部近傍に配置され、下部回転軸を保持する外側下部保持板と、を有し、外側下部保持板における下部回転軸部材の周囲であって内側枠体の揺動可能領域外に、外側下部保持板と内側枠体の下部近傍との間への不正具の侵入を防止する障害壁が上方に向けて立設されていることを特徴とする。
【００１３】
上部回転軸部材により外側上部保持板と内側保持板とが連結され、下部回転軸部材により内側枠体の下部近傍と外側下部保持板とが連結され、上部回転軸部材と下部回転軸部材とによって揺動支持軸（第１の回転軸）が構成される。外側下部保持板には、下部回転軸部材の周囲に障害壁が上方に向けて立設されているので、外部から外側下部保持板と内側枠体下部近傍との間にバール等の不正具が差し込まれるのを防止することができる。したがって、バール等を用いて内側枠体を上に持ち上げて、この揺動支持部（ヒンジ構造）を破壊したり無理にこじ開けたりする不正行為を有効に防止することができる。障害壁は、内側枠体の揺動可能領域外にのみ立設されているので、障害壁によって内側枠体の開閉動作に悪影響を及ぼす心配もない。
【００１４】
各保持板は、例えば鉄等の金属プレートで構成されており、カシメ等による回転軸部材の固定又は嵌合穴を有して回転軸部材との嵌合を実現する。外側下部保持板は、内側枠体の重量を支持する機能を有していてもよいし、もちろん他の部材が重量支持機能を有して外側下部保持板は下部回転軸部材を軸支する機能のみを有してもよい。
【００１５】
なお、ここで、遊技機は、典型的にはパチンコ機を意味するが、もちろん、パチスロ機やその他のゲーム機器等を含む概念である。また、遊技演出体は、パチンコ機においては遊技盤、パチスロ機においては回胴体を意味する。「前方」は、この遊技機での遊技状態において遊技機から遊技者に向かう方向であり、後方は逆に遊技者から遊技機に向かう方向である。また、設置状態においてこの遊技機を正面視したときの上下左右方向を本願における上下左右方向とする。
【００１６】
また、パチンコ機においては、外側枠体として機体の側方を囲む筐体枠、内側枠体として遊技盤を保持する機枠を概念することができる。一方、パチスロ機においては、外側枠体として機体の側方を囲んで回胴体を保持する筐体枠、内側枠体として回胴体を視認可能としつつその前方を囲む前面枠（又は、扉枠ともいう。）を概念することができる。
【００１７】
その遊技機が、遊技演出体の前方に配置されて上下に延びる第２の回転軸周りに内側枠体に対して前方に揺動可能とされた前面枠と、第２の回転軸の一部を構成すると共に前面枠を内側保持板に軸支する前面枠回転軸部材とを更に有し、内側保持板には、前面枠回転軸部材を嵌合する嵌合穴が形成されると共にその嵌合穴の上部側が遮蔽されていてもよい。
【００１８】
内側枠体としての機枠の前方に配置された前面枠の揺動支持軸（第２の回転軸）の一部を構成する前面枠回転軸部材を嵌合するために、内側保持板に形成された嵌合穴の上部側が塞がれているので、この嵌合穴の上部からの前面枠回転軸部材への不正アクセスを有効に防止することができる。したがって、前面枠回転軸部材を無理に下方に押し下げて嵌合穴との嵌合を解除させ、前面枠を内側枠体から取り外すような不正行為を未然防止することができる。
【００１９】
一方、前面枠を内側枠体に対して上方に持ち上げようとした場合には、前面枠回転軸部材と嵌合穴の遮蔽部分とが干渉し、一定以上の前面枠の持ち上げができないように構成されている。したがって、前面枠を持ち上げて前面枠と内側枠体との連結を解除することにより、不正に前面枠を取り外すような不正も有効に防止することができる。
【００２０】
内側保持板と外側上部保持板とが隙間を空けて対向すると共に、嵌合穴の上部側の遮蔽が、隙間に配置された遮蔽プレートにより実現されていてもよい。
【００２１】
内側保持板と外側上部保持板とが隙間を空けて対向しているので外側枠体に対する内側枠体の上部回転軸部材周りのスムーズな開閉を実現することができる。その内側保持板と外側上部保持板との間に遮蔽プレートを配置することにより嵌合穴の上部側の遮蔽を実現すれば、嵌合穴の遮蔽と共に両保持板間の隙間を狭める効果（以下、スペーサ効果と呼ぶ。）も発揮することができる。したがって、外側枠体に対する内側枠体の上方への移動を、より一層困難とすることができ、外側枠体から内側枠体を不正に取り外す不正行為を一層効果的に防止することができる。
【００２２】
また、例えば、内側保持板の上面に遮蔽プレートをスポット溶接又はネジ等により固定するのみで、嵌合穴の遮蔽効果とスペーサ効果とを簡単に実現することができるので、組立て作業を煩雑にすることなく、低コストに不正防止効果の高い遊技機を実現することができる。なお、前面枠回転軸部材の長さと内側保持板の厚さとを調整することにより、遮蔽プレートにザグリを不要とすることもできる。ザグリ加工を不要とすることにより、遮蔽プレートの部品コスト低減を図ることができ、一層遊技機の低コスト化に寄与することができる。
【００２３】
本発明の更なる目的又はその他の特徴は、以下添付図面を参照して説明される好ましい実施の形態によって明らかにされるであろう。
【発明の効果】
【００２４】
本発明によれば、遊技機の枠体同士を連結するヒンジ構造部分において、こじ開け等の不正開放やバール等の不正工具による破壊行為を有効に防止することができ、ヒンジ構造を保護することができる。また、組立て作業を煩雑にすることなく低コストに不正防止効果の高い遊技機を実現することができ、遊技者にとっても安心して遊技を行うことができると共に、遊技機ホールの不測の不利益を防止することができる。
【発明を実施するための最良の形態】
【００２５】
以下、本発明の実施の形態について図面を用いて説明する。図１は、本発明の実施の形態に係る遊技機としてのパチンコ機２の正面図である。このパチンコ機２は、枠体３、遊技盤（遊技演出体）６、前面ガラス（前面透明板）１０、装飾枠（前面枠）１２、貯留皿１４、ヒンジ構造１６を有している。
【００２６】
なお、遊技機は、パチンコ機２の他にパチスロ機、スロットマシン、パロット機、コインゲーム機等のアーケードマシン、各種ゲーム機を概念することができる。すなわち、遊技を演出する遊技演出体を内部に保持し、ヒンジ構造によって相互に揺動開閉可能とされた枠体を有するあらゆる遊技機を概念として含む。なお、パチンコ機においても、アレンジボール機、雀球機等の組合せ式パチンコ機、いわゆるデジパチタイプ（１種タイプ）やハネモノタイプ（２種タイプ）のパチンコ機等の種々のパチンコ機を概念することができるが、本実施の形態においては、デジパチ遊技を実現するいわゆる１種タイプのパチンコ機（セブン機ともいう。）について例示説明する。
【００２７】
パチンコ機２の枠体３は、後述する遊技盤６を保持するためのもので、装飾枠１２と協働してこのパチンコ機２の周囲及び前方又はそれらに加えて後方を囲むように構成される。枠体３の内部には、遊技盤６の他にも各種電子基板や遊技媒体用の経路等各種機構部品が配置され、枠体３及び装飾枠１２によって周囲側面及び前面又はそれらに加えて後方からのパチンコ機２内部への不正アクセスが防止されるようになっている。
【００２８】
例えば、遊技機設置島に配置されてパチンコ機２の側方周囲を囲む最外郭の筐体枠（外側枠体）４、その筐体枠４に対して前後揺動可能に配置されて遊技盤６を保持する機枠（内側枠体）９とを有して枠体３が構成される。そして、その機枠９の前方には、前面ガラス１０とその周囲を装飾する装飾部材６１とを保持する装飾枠１２が配置される。なお、前面ガラス１０は、枠体３内部に保持された遊技盤６を前方から遊技者が視認することができるようにするための透明部材であるが、詳細は後述する。
【００２９】
遊技盤６は、その遊技盤面（前面）６ａ側で球（遊技媒体）５１の流下による遊技を実現する盤状部材であり、遊技盤面６ａを前方から遊技者にとって視認可能となるように枠体３（本実施の形態においては、枠体３の一部としての機枠９。）に保持されている。その遊技盤面６ａには略円形状に周囲を囲むようにレール飾り（不図示）が取り付けられており、レール飾りの内周面（内側面）が遊技盤面６ａに対して立設するように配置されている。そして、その内側面によって画定され、内側面に面した略円形状の領域が遊技領域６ｂとなっている。
【００３０】
遊技領域６ｂには、その遊技領域６ｂ内を流下する球５１と衝突してその流下方向を変更させるための多数のゲージ（障害釘、不図示）が配置されている。また、遊技領域６ｂ内には、大入賞口５０、普通入賞口５３、始動口５５等の各種入賞口、通過ゲート５７、風車（不図示）等も配置されており、流下する球５１が各入賞口に流入して景品球払出しの契機となったり、通過ゲート５７を通過したり、風車を回転させたりすることによって、球５１による流下遊技を楽しむことができるようになっている。
【００３１】
遊技領域６ｂ内の略中央部近傍には、例えばセンター役物７が配置され、そのセンター役物７は、図柄表示装置７ａとセンター飾り８とを有している。センター飾り８は、装飾的な造形が施され、また、センター役物７内に流入した球５１の流下態様に変化を与えて遊技演出を実現するステージが形成された造形部材であり、図柄表示装置７ａの表示画面７ｂ周囲に配置されている。
【００３２】
図柄表示装置７ａは、遊技者が遊技盤面６ａ側から視認可能となるように配置され、その表示画面（映像表示面）７ｂ上に映像表示を行う表示装置であって、例えば、液晶表示装置・有機ＥＬディスプレイ・ＬＥＤ等が適用される。図柄表示装置７ａの表示画面７ｂには、３桁の数字又は文字等により構成される図柄７ｃが回転又は停止するように映像として表示される。また、例えば、キャラクター等によるストーリー仕立ての映像としての演出映像も表示されるようになっている。通常遊技時や特別遊技（いわゆる大当たり。）時において、各種図柄７ｃや演出映像を表示することにより、遊技の興趣向上を図ることができるようになっている。
【００３３】
後述する発射ユニットにより球５１が発射されると、球５１はレール飾りの内側面に沿いつつ進行して遊技領域６ｂ内の上部に至る。その後、球５１はゲージに衝突しつつ遊技領域６ｂ内を下方に流下し、あるものは普通入賞口５３に入賞して一定数の景品球払出しの契機となり、あるものはいずれの入賞口にも入賞せずに遊技領域６ｂ内最下部に位置するアウト口５９に流入してパチンコ機２の外部へと排出される。
【００３４】
球５１が始動口５５に流入すると、その流入に起因して図柄表示装置７ａの図柄７ｃが回転表示（特別遊技の抽選。）を開始し、その図柄７ｃが所定の態様（例えば、「７・７・７」。）で停止表示すれば、図柄変動遊技における大当たり（特別遊技）が発生する。そして、大入賞口５０の開閉扉が開放して多量の入賞球を受け入れ、多量の景品球が貯留皿１４へと払い出されるようになっている。
【００３５】
前面ガラス１０は、遊技盤６に対して一定距離以上離間して配置された透明板である。前面ガラス１０は透明平板ガラスで形成されて装飾枠１２の裏面側に保持され、遊技盤６との間に球５１が流下する流下空間を形成する機能、遊技者が前面ガラス１０を通して遊技盤６を視認できるように視認性を確保する機能、遊技者が遊技盤６に不正にアクセス（接触）できないように不正アクセスを防止する機能、を発揮する。
【００３６】
このパチンコ機２は、球５１を遊技領域６ｂに向けて発射する発射ユニット（不図示）も有している。発射ユニットは、貯留皿１４の一部としての上皿１４ａから球供給装置（不図示）によって発射位置に送り出された球５１を、遊技領域６ｂの上部に向けて発射（弾球）するためのものである。発射ユニットは、例えば発射位置の球５１を弾球する発射杆、その発射杆を駆動する発射モータ、発射杆を付勢して弾球力を発生させる発射バネ等を有してユニット構成され、機枠９に取り付けられている。球発射のために、遊技者の操作に基づいて球発射のオンオフ及びその発射強度調整を実現する発射ハンドル１５は、発射ユニットの一部としてパチンコ機２の前面下方に設けられている。
【００３７】
貯留皿１４は、遊技者の持ち球を貯留するためにパチンコ機２の前面に配置された皿部材であって、本実施の形態においては上皿１４ａと下皿１４ｂとを有している。上皿１４ａは、球排出ボタン１４ｃを有して遊技盤６よりも下方となる位置、すなわち装飾枠１２の下方部分に配置され、下皿１４ｂは、その上皿１４ａの更に下方に配置されている。
【００３８】
このパチンコ機２における筐体枠４及び機枠９と機枠９及び装飾枠１２とは、ヒンジ構造１６によって相互に連結されている。それにより、筐体枠４に対して機枠９が前方に揺動可能とされ、機枠９に対して装飾枠１２が前方に揺動可能とされている。図２は、このパチンコ機２におけるヒンジ構造１６部分を説明するために、筐体枠４、機枠９、装飾枠１２をそれぞれ分解して示す分解斜視図である。また、図３は、このパチンコ機２の分解状態を上面から見た上面図である。なお、図２、図３においては、貯留皿１４及び発射ハンドル１５は図示を省略している。
【００３９】
筐体枠４は、その左側面上部近傍に上段プレート（外側上部保持板）１７、その左側面下部近傍であって、幕板６３の上方に下段プレート（外側下部保持板）１８を前方に突出するように有している。機枠９は、その左側面上部近傍に上側プレート（内側保持板）１９、その左側面下部近傍に下側プレート２０を有している。
【００４０】
上側プレート１９には、機枠９を筐体枠４に揺動軸支するための上側軸（上部回転軸部材）１９ａが固定され、この上側軸１９ａが、上段プレート１７に形成された凹部（不図示）に回転可能に連結係合されている。また、下段プレート１８には、機枠９を筐体枠４に揺動軸支するための下側軸（下部回転軸部材）１８ａが固定され、この下側軸１８ａが、下側プレート２０に形成された下側孔２０ａに嵌合されている。
【００４１】
これらの上側軸１９ａ及び下側軸１８ａによって筐体枠４に対する機枠９の揺動回転軸（第１の回転軸）Ｘ１が構成されており、この揺動回転軸Ｘ１周りに機枠９が筐体枠４に対して揺動開閉可能となっている。なお、この上段プレート１７、下段プレート１８、上側プレート１９、下側プレート２０、上側軸１９ａ、下側軸１８ａを有して、ヒンジ構造１６が大略構成される。
【００４２】
図４は、このパチンコ機２のヒンジ構造１６を拡大して示す図であり、（ａ）は上段プレート１７近傍を拡大した斜視図であって、（ｂ）は下段プレート１８近傍を拡大した斜視図である。下段プレート１８の周囲部分には、壁部（障害壁）１８ｂが配置されている。この壁部１８ｂは、下側軸１８ａの周囲であって下段プレート１８の外周部分に上方に向けて立設されている。
【００４３】
下段プレート１８の外周部分に壁部１８ｂが立設しているので、このパチンコ機２の遊技状態（すなわち、筐体枠４と機枠９とが閉鎖され施錠されている状態。）において、外部からの下段プレート１８の上面部分や下側プレート２０へのアクセスが困難とされている。したがって、この部分からバール等の不正具を下側プレート２０と下段プレート１８との間に侵入させて、機枠９をこじ開ける等の不正行為を有効に防止することができるようになっている。
【００４４】
図４（ｂ）中に、筐体枠４に対する機枠９の最大開放状態における下側プレート２０の開放位置Ｍを破線で示しており、すなわち、図４（ｂ）中にハッチングで示した領域Ｗが機枠９の揺動可能領域である。壁部１８ｂは、領域Ｗの範囲内には立設されておらず、領域Ｗの範囲外においてのみ立設されている。したがって、壁部１８ｂが干渉したりすることなく、スムーズに機枠９の開閉動作を行うことができるようになっている。
【００４５】
一方、装飾枠１２は第１の回転軸とは異なる揺動回転軸（第２の回転軸）Ｘ２周りに揺動可能に機枠９に連結されている。すなわち、上側プレート１９と装飾枠１２の左側面上部近傍に配置された前枠上軸（前面枠回転軸部）２１とが相互に回転可能に連結されている。そして、機枠９の下側プレート２０のやや上方に配置されて前枠保持プレート２２に固定された前枠下軸２２ａと装飾枠１２の下部近傍とが相互に回転可能に連結されている。それにより、前枠上軸２１と前枠下軸２２ａとが揺動回転軸Ｘ２を構成し、この揺動回転軸Ｘ２周りに装飾枠１２が機枠９に対して揺動開閉可能となっている。
【００４６】
図５は、パチンコ機２の上段プレート１７近傍を分解して示す分解拡大図である。上側プレート１９には、前枠上軸２１を回転可能に嵌合するための嵌合孔（嵌合穴）１９ｂが貫通形成されている。そして、その嵌合孔１９ｂを遮蔽するように遮蔽プレート２３が上側プレート１９の上面にスポット溶接されている。
【００４７】
この前枠上軸２１は、上下にスライド移動可能な状態でバネ等の付勢手段（不図示）によって上向きに付勢され、嵌合孔１９ｂと嵌合している。そのため、前枠上軸２１を付勢力に抗して上から押し下げると前枠上軸２１と嵌合孔１９ｂとの連結は解除されてしまう虞がある。
【００４８】
しかしながら、遮蔽プレート２３によって嵌合孔１９ｂが塞がれるので、不正行為を行おうとする者であっても、前枠上軸２１の上端部分にアクセスすることができない。したがって、前枠上軸２１を上から押し下げて前枠上軸２１と上側プレート１９との連結を解除し、装飾枠１２を不正に開放する行為を防止することができる。ここで、前枠上軸２１の上端が上側プレート１９の肉厚内に位置するように設計すれば、遮蔽プレート２３にザグリ加工や穴加工を行う必要がない。したがって、遮蔽プレート２３を平板で構成することができるので、部品コストや加工コストの低減に寄与することができる。
【００４９】
もちろん、図６に部分拡大断面図を示すように、遮蔽プレート２３の下面において嵌合孔１９ｂに対応する部分にザグリ２３ａを形成し、前枠上軸２１の上端が上側プレート１９の嵌合孔１９ｂを貫通してその上面から突出するように構成してもよい。嵌合孔１９ｂの全体で前枠上軸２１を連結保持し、更にザグリ２３ａによっても前枠上軸２１の上端部分を連結保持するので、装飾枠１２と機枠９との連結を強固なものとすることができ、寸法誤差、組立誤差、経時変化による影響を低減することができる。
【００５０】
装飾枠１２を上方に持ち上げて前枠保持プレート２２と前枠下軸２２ａとの連結を解除しようとしても、前枠上軸２１の上端が遮蔽プレート２３の下面に干渉するので、装飾枠１２を一定以上持ち上げることができない。したがって、装飾枠１２の不正開放を一層有効に防止することができる。
【００５１】
なお、この遮蔽プレート２３は、上側プレート１９と上段プレート１７との隙間Ｇ（図４（ａ）を参照。）に配置される。この隙間Ｇは、筐体枠４に対して機枠９がスムーズに揺動回転するように設定してある遊びであり、例えば機枠９の開放状態においては、機枠９は筐体枠４に対してこの隙間Ｇの分だけ上方にスライド移動可能となっている。すなわち、上段プレート１７は、機枠９の上方移動を規制する機能を有している。
【００５２】
遮蔽プレート２３を上側プレート１９の上面に配置しているので、隙間Ｇの寸法を遮蔽プレート２３の厚みＢ寸法により短縮する効果も得られている。遮蔽プレート２３の厚みＢを調整することにより、筐体枠４に対する機枠９の開閉のスムーズさを確保した上で、筐体枠４に対する機枠９の上方スライド移動量を厚みＢの分だけ短縮することができる。下段プレート１８と下側プレート２０との間への不正具の侵入防止効果に加え、機枠９の不正な持ち上げ行為も有効に防止することができるので、より一層不正行為に対して耐性の高いパチンコ機２とすることができる。
【００５３】
［変形例１］
図７は、本発明の変形例１に係るパチンコ機２の下段プレート１８近傍を拡大して模式的に示す部分拡大模式断面図である。この変形例１においては、下側プレート２０の側面が傾斜面２０ｂとして構成されている。例えば、傾斜面２０ｂと鉛直面との為す傾斜角θが０°〜４５°の範囲内に設定されている。
【００５４】
このように下側プレート２０の側面を傾斜面２０ｂとして構成することにより、バール等の不正具による不正行為を一層効果的に排除することができる。すなわち、壁部１８ｂによってバール等の不正具の侵入が防止されていることに加え、例え不正具先端が図６中矢印Ｙで示すように壁部１８ｂを乗り越えて侵入してきた場合であっても、傾斜面２０ｂによって不正具先端が引っ掛かり難くされており、こじ開けが一層困難とされている。
【００５５】
［変形例２］
図８は、本発明の変形例２に係るパチンコ機２の下段プレート１８近傍を拡大して模式的に示す図であって、（ａ）は、機枠９の閉鎖時における側方断面図であり、（ｂ）は、機枠９の閉鎖時における上面図であり、（ｃ）は機枠９の開放時における上面図である。
【００５６】
この変形例１においては、壁部１８ｂが折返し部１８ｃを有しており、立設するだけでなく断面逆コ字状に折り返されている。そして、その折返し部１８ｃが構成する空隙部１８ｄに、機枠９の閉鎖時における下側プレート２０が入り込むようになっている。そのため、機枠９の閉鎖時、すなわち通常遊技時においては、バール等の不正具が下側プレート２０と下段プレート１８との間に入り込むことができない。その上、折返し部１８ｃが下側プレート２０の上方移動を阻止するように構成されているので、機枠９の閉鎖時においては機枠９を上方へ持ち上げることができず、機枠９のこじ開けが一層困難とされている。
【００５７】
図８（ｃ）に示すように、開放時においては、下側プレート２０が略９０°回転して空隙部１８ｄから退避するようになっている。そのため、機枠９の組付け時やパチンコ機２のメンテナンス時には、折返し部１８ｃが下側プレート２０の上方移動を阻止せず、機枠９の持上げが容易とされている。
【００５８】
以上、本発明の好ましい実施の形態を説明したが、本発明はこれらに限定されるものではなく、その要旨の範囲内で様々な変形や変更が可能である。なお、本実施の形態においては、パチンコ機２を例として本発明の詳細な説明を行ったが、もちろん本発明は、上述したように遊技機としてのパチスロ機に適用することもできる。パチスロ機の場合においては、パチンコ機のように３つの枠（筐体枠、機枠、装飾枠）によって機体が構成されるのでなく、一般に２つの枠（筐体枠、扉枠）によって機体が構成される。したがって、筐体枠が枠体の一部としての外側枠体に該当し、扉枠が枠体の一部としての内側枠体に該当する。そして、筐体枠の内部に遊技演出体としての回胴装置が保持されることとなる。
【図面の簡単な説明】
【００５９】
【図１】本発明の実施の形態に係るパチンコ機の正面図である。
【図２】図１に示すパチンコ機におけるヒンジ構造部分を説明するために、筐体枠、機枠、装飾枠をそれぞれ分解して示す分解斜視図である。
【図３】図１に示すパチンコ機の分解状態を上面から見た上面図である。
【図４】図１に示すパチンコ機のヒンジ構造を拡大して示す図であり、（ａ）は上段プレート近傍を拡大した斜視図であって、（ｂ）は下段プレート近傍を拡大した斜視図である。
【図５】図１に示すパチンコ機の上段プレート近傍を分解して示す分解拡大図である。
【図６】図１に示すパチンコ機の遮蔽プレートの別の例を正面から見た部分拡大断面図である。
【図７】本発明の変形例１に係るパチンコ機の下段プレート近傍を拡大して模式的に示す部分拡大模式断面図である。
【図８】本発明の変形例２に係るパチンコ機の下段プレート近傍を拡大して模式的に示す図であって、（ａ）は、機枠の閉鎖時における側方断面図であり、（ｂ）は、機枠の閉鎖時における上面図であり、（ｃ）は機枠の開放時における上面図である。
【符号の説明】
【００６０】
θ：傾斜角
Ｘ１：揺動回転軸（第１の回転軸）
Ｘ２：揺動回転軸（第２の回転軸）
Ｙ：矢印
Ｂ：厚み
Ｇ：隙間
Ｍ：位置
Ｗ：領域
２：パチンコ機（遊技機）
３：枠体
４：筐体枠（外側枠体、枠体の一部）
６：遊技盤（遊技演出体）
６ａ：遊技盤面（表面）
６ｂ：遊技領域
７：センター役物
７ａ：図柄表示装置
７ｂ：表示画面（映像表示面）
７ｃ：図柄
８：センター飾り
９：機枠（内側枠体、枠体の一部）
１０：前面ガラス（前面透明板）
１２：装飾枠
１４：貯留皿
１４ａ：上皿
１４ｂ：下皿
１４ｃ：球排出ボタン
１５：発射ハンドル
１６：ヒンジ構造
１７：上段プレート（外側上部保持板）
１８：下段プレート（外側下部保持板）
１８ａ：下側軸（下部回転軸部材）
１８ｂ：壁部（障害壁）
１８ｃ：折返し部
１８ｄ：空隙部
１９：上側プレート（内側保持板）
１９ａ：上側軸（上部回転軸部材）
１９ｂ：嵌合孔（嵌合穴）
２０：下側プレート
２０ａ：下側孔
２０ｂ：傾斜面
２１：前枠上軸（前面枠回転軸部）
２２：前枠保持プレート
２２ａ：前枠下軸
２３：遮蔽プレート
２３ａ：ザグリ
５０：大入賞口
５１：球（遊技媒体）
５３：普通入賞口
５５：始動口
５７：通過ゲート
５９：アウト口
６１：装飾部材
６３：幕板
【図１】
0004632208.tif 000002
【図２】
0004632208.tif 000003
【図３】
0004632208.tif 000004
【図４】
0004632208.tif 000005
【図５】
0004632208.tif 000006
【図６】
0004632208.tif 000007
【図７】
0004632208.tif 000008
【図８】
0004632208.tif 000009